(57)【要約】  【課題】  ＡＶストリーム配信に対する付加情報の伝送を、高い拡張性を以て行う。  【解決手段】  配信側では、カメラ１２で撮影した映像と、マイク１０で収録した音声とを多重化したＡＶストリームを、インバンドで送信する。また、撮影環境をクロマメータ１６、サーモメータ１８、各種測定器２０、２０、・・・で測定し、アウトバンドで送信する。受信側では、ＡＶストリームをインバンドで受信し再生すると共に、各測定データをアウトバンドで受信し、各再生装置５１、５３、５５、５５、・・・で撮影時の環境を再現する。ユーザは、映像と共に撮影時の環境を楽しめ、より深い没入感が得られる。各種計測データは、アウトバンド送信のため拡張等の自由度が高いと共に、ＡＶストリームが既存のフォーマットで伝送されるため、付加情報の再生に対応していなくても、映像の再生には問題が無い。【選択図】  図２
2005223570.tif 000002
【特許請求の範囲】
【請求項１】
映像情報を配信する配信システムにおいて、
映像情報を送信する第１の送信手段と、
上記映像情報の再生に伴い再生される付加情報を上記第１の送信手段の送信に対してアウトバンドで送信する第２の送信手段と
を備える配信装置と、
上記第１の送信手段で送信された上記映像情報を受信する第１の受信手段と、
上記第２の送信手段で送信された上記付加情報を受信する第２の受信手段と
を備えた受信装置と
を有することを特徴とする配信システム。
【請求項２】
請求項１に記載の配信システムにおいて、
上記受信装置は、上記第２の受信手段で受信された上記付加情報を、上記第１の受信手段で受信された上記映像信号の再生に伴い再生するようにしたことを特徴とする配信システム。
【請求項３】
請求項１に記載の配信システムにおいて、
上記第１および第２の送信手段は、上記映像情報と上記付加情報とを、同一の通信媒体で異なる宛先に送信するようにしたことを特徴とする配信システム。
【請求項４】
請求項３に記載の配信システムにおいて、
上記通信媒体はインターネットであって、上記第１および第２の送信手段は、互いに異なるポート番号を宛先とすることを特徴とする配信システム。
【請求項５】
請求項１に記載の配信システムにおいて、
上記第１および第２の送信手段は、上記映像情報と上記付加情報とを、異なる通信媒体で送信するようにしたことを特徴とする配信システム。
【請求項６】
請求項１に記載の配信システムにおいて、
上記付加情報は、レコードのそれぞれが復改コードで区切られることを特徴とする配信システム。
【請求項７】
請求項１に記載の配信システムにおいて、
上記付加情報は、上記映像情報に対する関連付け情報が含まれることを特徴とする配信システム。
【請求項８】
請求項７に記載の配信システムにおいて、
上記第１の送信手段は、複数の上記映像情報を多重化して送信するようにしたことを特徴とする配信システム。
【請求項９】
請求項１に記載の配信システムにおいて、
上記付加情報は、上記映像情報に対応する環境を再生するための情報であることを特徴とする配信システム。
【請求項１０】
請求項９に記載の配信システムにおいて、
上記環境を再現するための情報は、少なくとも照度および色温度情報を含むことを特徴とする配信システム。
【請求項１１】
請求項９に記載の配信システムにおいて、
上記付加情報は、上記映像情報のフレーム情報を有することを特徴とする配信システム。
【請求項１２】
映像情報を配信する配信方法において、
映像情報を送信する第１の送信のステップと、
上記映像情報の再生に伴い再生される付加情報を上記第１の送信のステップの送信に対してアウトバンドで送信する第２の送信のステップと、
上記第１の送信のステップで送信された上記映像情報を受信する第１の受信のステップと、
上記第２の送信のステップで送信された上記付加情報を受信する第２の受信のステップと
を有することを特徴とする配信方法。
【請求項１３】
映像情報を配信する配信装置において、
映像情報を送信する第１の送信手段と、
上記映像情報の再生に伴い再生される付加情報を上記第１の送信手段の送信に対してアウトバンドで送信する第２の送信手段と
を備えることを特徴とする配信装置。
【請求項１４】
請求項１３に記載の配信装置において、
上記第１および第２の送信手段は、上記映像情報と上記付加情報とを、同一の通信媒体で異なる宛先に送信するようにしたことを特徴とする配信装置。
【請求項１５】
請求項１３に記載の配信装置において、
上記通信媒体はインターネットであって、上記第１および第２の送信手段は、互いに異なるポート番号を宛先とすることを特徴とする配信装置。
【請求項１６】
請求項１３に記載の配信装置において、
上記第１および第２の送信手段は、上記映像情報と上記付加情報とを、異なる通信媒体で送信するようにしたことを特徴とする配信装置。
【請求項１７】
請求項１３に記載の配信装置において、
上記付加情報は、レコードのそれぞれが復改コードで区切られることを特徴とする配信装置。
【請求項１８】
請求項１３に記載の配信装置において、
上記付加情報は、上記映像情報に対する関連付け情報が含まれることを特徴とする配信装置。
【請求項１９】
請求項１８に記載の配信装置において、
上記第１の送信手段は、複数の上記映像情報を多重化して送信するようにしたことを特徴とする配信装置。
【請求項２０】
請求項１３に記載の配信装置において、
上記付加情報は、上記映像情報に対応する環境を再生するための情報であることを特徴とする配信装置。
【請求項２１】
請求項２０に記載の配信装置において、
上記環境を再現するための情報は、少なくとも照度および色温度情報を含むことを特徴とする配信装置。
【請求項２２】
請求項２０に記載の配信装置において、
上記付加情報は、上記映像情報のフレーム情報を有することを特徴とする配信装置。
【請求項２３】
映像情報を配信する配信方法において、
映像情報を送信する第１の送信のステップと、
上記映像情報の再生に伴い再生される付加情報を上記第１の送信のステップの送信に対してアウトバンドで送信する第２の送信のステップと
を備えることを特徴とする配信方法。
【請求項２４】
映像情報を受信して再生する受信装置において、
映像情報を受信する第１の受信手段と、
上記映像信号に対してアウトバンドで送信された、上記映像情報の再生に伴い再生される付加情報を受信する第２の受信手段と
を備えることを特徴とする受信装置。
【請求項２５】
請求項２４に記載の受信装置において、
上記第２の受信手段で受信された上記付加情報を、上記第１の受信手段で受信された上記映像信号の再生に伴い再生するようにしたことを特徴とする受信装置。
【請求項２６】
請求項２４に記載の受信装置において、
上記第１および第２の受信手段は、通信媒体が同一で宛先が異ならされることを特徴とする受信装置。
【請求項２７】
請求項２６に記載の受信装置において、
上記通信媒体はインターネットであって、上記第１および第２の受信手段は、互いに異なるポート番号を有することを特徴とする受信装置。
【請求項２８】
請求項２４に記載の受信装置において、
上記第１および第２の受信手段は、通信媒体が互いに異ならされることを特徴とする受信装置。
【請求項２９】
請求項２４に記載の受信装置において、
上記付加情報は、レコードのそれぞれが復改コードで区切られることを特徴とする受信装置。
【請求項３０】
請求項２４に記載の受信装置において、
上記付加情報は、上記映像情報に対する関連付け情報が含まれることを特徴とする受信装置。
【請求項３１】
請求項３０に記載の受信装置において、
上記映像情報は複数が多重化されて送信され、上記付加情報に関連付けられた上記映像情報が上記第１の受信手段により選択的に受信されたとき、受信された該映像情報の再生に伴い上記付加情報を再生するするようにしたことを特徴とする受信装置。
【請求項３２】
請求項２４に記載の受信装置において、
上記付加情報は、上記映像情報に対応する環境を再生するための情報であることを特徴とする受信装置。
【請求項３３】
請求項３２に記載の受信装置において、
上記環境を再現するための情報は、少なくとも照度および色温度情報を含むことを特徴とする受信装置。
【請求項３４】
請求項３２に記載の受信装置において、
上記付加情報は、上記映像情報のフレーム情報を有することを特徴とする受信装置。
【請求項３５】
映像情報を受信して再生する受信方法において、
映像情報を受信する第１の受信のステップと、
上記映像信号に対してアウトバンドで送信された、上記映像情報の再生に伴い再生される付加情報を受信する第２の受信のステップと
を備えることを特徴とする受信方法。
【発明の詳細な説明】
【技術分野】
【０００１】
この発明は、映像情報や音声情報などによるストリームデータと、ストリームデータに付加される付加情報とを配信するための配信システム、配信装置および配信方法、ならびに、受信装置および受信方法に関する。
【背景技術】
【０００２】
従来から、映像情報および音声情報を配信する際に、配信される情報に対する付加情報を送信する方法が幾つか実用化されている。例えば、地上波テレビジョン放送であれば、画像のフレームとフレームの間に挿入されている一定の空白期間である、垂直帰線消去期間を用いて文字放送用のデータやデータ放送サービス用のデータを送信することが行われている。ＦＭラジオ放送であれば、副搬送波を用いて、文字や画像のディジタルデータを音声のオーディオ信号と多重化して同時的に送信する、移動体ＦＭ多重放送（所謂「見えるラジオ」）が実用化されている。
【０００３】
これらの、テレビジョン放送の垂直帰線消去期間を用いる方式や、ＦＭラジオ放送の副搬送波を用いる方式は、メディア（伝送経路）の主信号伝送帯域中に付加情報のデータ信号を挿入して伝送する方式である。以下、この方式を、インバンド伝送(In-Band Data Transmission)と呼ぶ。
【０００４】
しかしながら、付加情報をインバンド伝送により送信する方式を、現行の伝送メディアに組み込もうとした場合、付加情報をインバンド伝送できるように、当該メディアの規格を新たに制定する必要がある。また、伝送メディアによっては、付加情報をインバンド伝送するための新たな帯域を確保することが困難な場合もあり、拡張性や柔軟性という点で、課題が多かった。
【０００５】
例えば、現行システムで受信および再生可能なように互換性を考慮して、インバンド伝送を組み入れることを考えた場合、限られた帯域の中でデータ伝送を行わなくてはならないので、送信可能なデータ量に制限が生じる。送信するデータ量を増やしていくと、場合によっては、現行システムでの受信や再生の互換性に問題が生じる可能性もある。
【０００６】
そこで、付加情報のデータ信号を、メディアの主信号の伝送帯域外を用いて伝送する方式が提案されている。以下、この方式を、アウトバンド伝送(Out-Band Data Transmission)と呼ぶ。アウトバンド伝送を用いれば、メディアの主信号の伝送規格を変更すること無しに、付加情報を伝送することができる。また、伝送できるデータ量も、アウトバンド伝送に用いる伝送メディアの容量に依存することになり、大量のデータを容易に伝送可能である。特許文献１に、スクランブル処理されたテレビジョン信号をデスクランブルするための情報を、アウトバンドデータとして送信する技術が記載されている。
【特許文献１】特許第２８５７４１３
【発明の開示】
【発明が解決しようとする課題】
【０００７】
特許文献１によれば、アウトバンド伝送されるデータは、インバンド伝送されるビデオ信号の視聴許可／不許可を示す情報と、ビデオ信号に対するスクランブルを解読するための演算用コード値であって、汎用的な用途を意図したものではない。このように、従来技術によるアウトバンド伝送は、汎用的なデータを伝送するような仕組みが存在せず、拡張性や柔軟性に欠けていたという問題点があった。
【０００８】
ところで、近年では、インターネットが普及し、その伝送能力も、映像情報および音声情報のストリーミング配信が可能なまでになってきている。しかしながら、現状では、インターネットにおける映像ストリーミング配信に関しては、付加情報を送信する標準規格は、存在していない。例えば、コンテンツに関する各種情報（メタデータ）を記述する規格である、ＭＰＥＧ７(Moving Pictures Experts Group 7)は、コンテンツに対するメタデータを記録するための規格であって、メタデータの伝送方法について規定するものではない。このように、インターネット上での映像および音声情報のストリーミング配信に対して、付加情報を伝送する標準的な方式が求められている。
【０００９】
したがって、この発明の目的は、映像情報や音声情報のストリーミング配信に対する付加情報の伝送を、高い拡張性を以て行うことができるような配信システム、配信装置および配信方法、ならびに、受信装置および受信方法を提供することにある。
【００１０】
また、この発明の別の目的は、インターネット上で行われる映像および音声情報のストリーミング配信に適した付加情報の伝送を実現可能な配信システム、配信装置および配信方法、ならびに、受信装置および受信方法を提供することにある。
【課題を解決するための手段】
【００１１】
上述した課題を解決するために、請求項１に記載の発明は、映像情報を配信する配信システムにおいて、映像情報を送信する第１の送信手段と、映像情報の再生に伴い再生される付加情報を第１の送信手段の送信に対してアウトバンドで送信する第２の送信手段とを備える配信装置と、第１の送信手段で送信された映像情報を受信する第１の受信手段と、第２の送信手段で送信された付加情報を受信する第２の受信手段とを備えた受信装置とを有することを特徴とする配信システムである。
【００１２】
また、請求項１２に記載の発明は、映像情報を配信する配信方法において、映像情報を送信する第１の送信のステップと、映像情報の再生に伴い再生される付加情報を第１の送信のステップの送信に対してアウトバンドで送信する第２の送信のステップと、第１の送信のステップで送信された映像情報を受信する第１の受信のステップと、第２の送信のステップで送信された付加情報を受信する第２の受信のステップとを有することを特徴とする配信方法である。
【００１３】
また、請求項１３に記載の発明は、映像情報を配信する配信装置において、映像情報を送信する第１の送信手段と、映像情報の再生に伴い再生される付加情報を第１の送信手段の送信に対してアウトバンドで送信する第２の送信手段とを備えることを特徴とする配信装置である。
【００１４】
また、請求項２３に記載の発明は、映像情報を配信する配信方法において、映像情報を送信する第１の送信のステップと、映像情報の再生に伴い再生される付加情報を第１の送信のステップの送信に対してアウトバンドで送信する第２の送信のステップとを備えることを特徴とする配信方法である。
【００１５】
また、請求項２４に記載の発明は、映像情報を受信して再生する受信装置において、映像情報を受信する第１の受信手段と、映像信号に対してアウトバンドで送信された、映像情報の再生に伴い再生される付加情報を受信する第２の受信手段とを備えることを特徴とする受信装置である。
【００１６】
また、請求項３５に記載の発明は、映像情報を受信して再生する受信方法において、映像情報を受信する第１の受信のステップと、映像信号に対してアウトバンドで送信された、映像情報の再生に伴い再生される付加情報を受信する第２の受信のステップとを備えることを特徴とする受信方法である。
【００１７】
上述したように、請求項１および１２に記載の発明は、配信側は、インバンドで送信される映像信号に対し、映像情報の再生に伴い再生される付加情報をアウトバンドで送信し、受信側は、映像情報と付加情報とをそれぞれ受信するようにしているため、付加情報を、映像信号送信の際の既存のフォーマットを変更せずに、より自由度が高く拡張性に富んだフォーマットで伝送することができ、受信側も、受信された付加情報を映像信号に伴い再生することで、再生された映像信号に対するより深い没入感をユーザに与えることができる。
【００１８】
また、請求項１３および２３に記載の発明は、インバンドで送信される映像情報に対し、映像情報の再生に伴い再生される付加情報をアウトバンドで送信するようにしているため、映像信号送信の際の既存のフォーマットを変更せずに、映像信号に対する付加情報を送信することができ、受信側では、受信された付加情報を映像信号に伴い再生することで、再生された映像信号に対するより深い没入感をユーザが受けることができると共に、既存の映像信号送信フォーマットが変更されないため、受信側において付加情報に対応していなくても、映像信号を問題なく再生することができる。
【００１９】
また、請求項２４および３５に記載の発明は、インバンドで送信された映像情報を受信すると共に、映像信号に対してアウトバンドで送信された、映像情報の再生に伴い再生される付加情報を受信するようにされているため、受信された付加情報を映像信号に伴い再生することで、再生された映像信号に対するより深い没入感をユーザが受けることができる。
【発明の効果】
【００２０】
この発明は、既存のフォーマットで伝送され配信されるＡＶストリームの付加情報を、当該ＡＶストリームの伝送経路に対してアウトバンドで伝送するようにしているため、配信側および受信側共に、既存のシステムに対して少ない変更点で、付加情報の伝送を行うことができるという効果がある。
【００２１】
この発明は、既存のＡＶストリーム伝送フォーマットとは異なる経路で付加情報を配信することができるため、伝送する付加情報の自由度が高く拡張性に優れ、対象となるユーザの環境に合わせた付加情報配信システムを構築するのが容易であるという効果がある。
【００２２】
また、この発明の実施の第１および第２の形態では、配信されるＡＶストリームに対応した物理的現象のパラメータをアウトバンドで伝送するようにしているため、受信側では、単に映像および音声を視聴するだけでなく、例えば撮影時の物理的環境をも再現することができ、より深い没入感を得ることができるという効果がある。
【発明を実施するための最良の形態】
【００２３】
以下、この発明について、図面を参照ながら説明する。図１は、この発明を適用可能な技術範囲を、模式的に示す。この発明は、動画像または静止画像による映像情報のストリーム配信技術において、配信される映像情報に対して付加情報を伝送する場合に適用可能である。
【００２４】
図２は、この発明の実施の第１の形態を適用可能な一例の配信システム構成を示す。この配信システムは、特に、風景映像を撮影して配信するような場合に用いて好適なものである。これに限らず、この配信システムは、他の一般的な映像を配信する場合についても適用できることは勿論である。図２において、インバンド伝送側１は、従来技術によるハイビジョン映像配信システムに対応する。ＨＤカメラ１２で撮影されたビデオ信号およびマイクロフォン１０で集音されたオーディオ信号をそれぞれディジタル変換し、多重化してＡＶ(Audio/Video)ストリームとして、インバンド伝送でネットワーク３０を介して配信する。
【００２５】
一方、アウトバンド伝送側２は、この発明の実施の第１の形態が適用される、アウトバンド伝送による付加情報送信システムである。この発明の実施の第１の形態では、ＨＤカメラ１２による撮影に伴う撮影時の環境（照度、温度、・・・）を、インバンド伝送されるビデオデータの付加情報として、ネットワーク３０を介して所定のフォーマットでアウトバンド伝送するようにしている。
【００２６】
受信側では、インバンド伝送により配信されたＡＶストリームを受信し再生する。それと共に、受信側では、アウトバンド伝送により付加情報として伝送された計測データを受信し、受信された計測データに基づき撮影時の環境を再現する。これにより、受信側では、ＡＶストリームの視聴に際し、臨場感を楽しむことができる。
【００２７】
配信側について説明する。インバンド伝送側１において、ＨＤ(High Definition)カメラ１２で撮影されたビデオ信号がＡ／Ｄコンバータ１３でディジタルビデオデータに変換され、例えばＨＤ−ＳＤＩ(High Definition-Serial Digital Interface)に規定されるフォーマットで伝送され、ＨＤエンコーダ１４に供給される。ＨＤカメラ１２による撮影に伴いマイクロフォン１０で音声が収録される。マイクロフォン１０から出力された音声信号は、Ａ／Ｄコンバータ１１でディジタルオーディオデータに変換され、例えばＡＥＳ／ＥＢＵ(Audio Engineering Society/European Broadcasting Union)に規定されるフォーマットで伝送され、ＨＤエンコーダ１４に供給される。
【００２８】
ＨＤエンコーダ１４は、ディジタルオーディオデータおよびディジタルビデオデータに対して符号化処理を施すと共に多重化し、例えばＤＶＢ−ＡＳＩ(Digital Video Broadcasting-Asynchronous Serial Interface)の規定に基づくフォーマットのＡＶストリームとして出力する。このＡＶストリームは、カプセル化部１５に供給される。カプセル化部１５は、供給されたストリームを所定単位に分割し、分割したそれぞれをペイロードに格納してＩＰヘッダを付し、ＩＰパケット化する。ＩＰパケットは、宛先ポート番号として所定のポート番号（ポート番号「６０００」とする）を指定され、ＩＰネットワーク３０に向けてＩＰマルチキャスト送信により配信される。ＩＰネットワーク３０は、例えばインターネットなどの、ＩＰ(Internet Protocol)により通信制御されるネットワークである。
【００２９】
アウトバンド伝送側２では、上述のＨＤカメラ１２での撮影に伴い、照度および色を測定するクロマメータ１６、温度を測定するサーモメータ１８や、その他、環境測定のための各種測定器２０、２０、・・・により、撮影が行われる現場の環境が測定される。クロマメータ１６の測定結果は、クロマデータ受信部１７に受信される。サーモメータ１８の測定結果は、サーモデータ受信部１９に受信される。同様にして、各種測定器２０、２０、・・・の測定結果は、各種データ受信部２１、２１、・・・にそれぞれ受信される。
【００３０】
測定される環境としては、クロマメータ１６による照度、色温度、サーモメータ１８による気温の他に、湿度、風向および風力、気圧などが考えられる。また、緯度および経度といった位置情報を環境情報として測定することも容易である。さらに、撮影の日付および時刻情報が計測される。
【００３１】
各測定データは、各受信部１７、１９、２１、２１、・・・でそれぞれディジタルデータ化されたパラメータとされ、上述したＡＶストリームに対する付加情報が作成される。付加情報は、ＩＰマルチキャストサーバ２２に供給され、上述のインバンド伝送側１とは異なるポート番号（ポート番号「６００１」とする）を宛先ポート番号として指定され、ＩＰネットワーク３０に向けてマルチキャスト送信される。このマルチキャスト送信は、上述の、インバンド伝送により配信されたパケットに対するアウトバンド伝送である。
【００３２】
なお、付加情報は、例えば数十秒の間隔で繰り返し作成され送信される。したがって、クロマメータ１６、サーモメータ１８、各種測定器２０、２０、・・・の測定結果が変換した場合、付加情報の内容にその旨が反映される。これに限らず、ビデオデータのシーンチェンジに応じて付加情報を送信することも考えられる。
【００３３】
受信側について説明する。ＩＰネットワーク３０を介して配信されたＩＰパケットは、図示されない受信部に受信され、宛先ポート番号に基づき対応するアプリケーションに引き渡される。この例では、逆カプセル化部４０がポート番号「６０００」に対応し、ＩＰマルチキャストクライアント５０がポート番号「６００１」に対応する。配信側でＡＶストリームがカプセル化されたＩＰパケットは、宛先ポート番号がポート番号「６０００」に指定されているので、逆カプセル化部４０に引き渡される。また、各種測定データのＩＰパケットは、宛先ポート番号がポート番号「６００１」に指定されているので、ＩＰマルチキャストクライアント５０に引き渡される。
【００３４】
逆カプセル化部４０では、受信部から渡されたＩＰパケットからＩＰヘッダが取り除かれ、ペイロードから取り出されたデータに基づき元のＡＶストリームが復元される。復元されたＡＶストリームは、ＨＤデコーダ４１に供給され、多重化されたビデオデータおよびオーディオデータが分離され、分離されたそれぞれのデータが復号化される。ＨＤデコーダ４１から出力されたディジタルビデオデータは、ＨＤモニタ４２に供給され、映像が表示される。また、ＨＤデコーダ４１から出力されたディジタルオーディオデータは、Ｄ／Ａコンバータ４３でアナログオーディオ信号に変換され、アンプ／スピーカ部４４に供給されて音声が再生される。
【００３５】
一方、ＩＰマルチキャストクライアント５０は、受信部から渡されたＩＰパケットからＩＰヘッダを取り除き、ペイロードから取り出されたデータに基づき各測定データを復元する。復元された各測定データ中に、受信側において再生可能なデータがある場合には、その測定データを、対応する再生装置に供給する。
【００３６】
例えば、クロマデータは、クロマデータ再生装置５１に供給される。クロマデータ再生装置５１により、供給されたクロマデータに基づきディスプレイ／プロジェクタ５２が制御され、撮影時の照度、色温度などが再現される。サーモデータは、サーモデータ再生装置５３に供給される。サーモデータ再生装置５３により、サーモデータに基づきエアコンディショナー５４が制御され、撮影時の温度が再現される。同様にして、他の各種測定データが対応する各種データ再生装置５５、５５、・・・に供給され、各種環境を再現する各種プレーヤ５６、５６、・・・が制御され、撮影時の他の環境が再現される。
【００３７】
次に、付加情報のデータフォーマットについて説明する。図３は、付加情報の一例のデータ構造を概略的に示す。付加情報は、このように、ヘッダ部６０、データ部６１およびトレーラ部６２からなる。ヘッダ部６０は、付加情報の開始を示す部分である。開始を示す文字列と、所定のデリミタとからなる。例えば、開始を示す文字列として３バイトの文字列「ＳＴＸ」を用い、デリミタとして復改コードを用いる。復改コードは、文字列の改行を行うためのコードで、文字列がアスキーコードで表現されている場合は、キャリッジリターン（ＣＲ）およびラインフィード（ＬＦ）を組み合わせて用いることができる。
【００３８】
データ部６１は、付加情報のパラメータの種類および値を示す部分である。パラメータの種類と値とを対にして記述し、パラメータおよび値の組毎に所定のデリミタ（例えば復改コード）で区切る。例えば、パラメータの種類および値は、次のようなパラメータレコードとして記述される。
＜パラメータ名＞＝＜値＞＜復改コード＞
データ部６１は、０個以上のパラメータレコードで構成される。すなわち、データ部６１は省略可能である。なお、パラメータ名と値との対応を示す記号「＝」は一例であって、他の記号でもよい。
【００３９】
トレーラ部６２は、付加情報の終了を示す部分である。終了を示す文字列、所定のデリミタおよびエラー検出、訂正コードからなる。例えば、終了を示す文字列として３バイトの文字列「ＥＴＸ」を用い、デリミタとして復改コードを用いる。また、エラー検出、訂正コードとして、ＣＲＣ(cyclic redundancy check)を用いる。ＣＲＣ部分は、開始を示す文字列「ＳＴＸ」から、終了を示す文字列「ＥＴＸ」の直後の復改コードまでのＣＲＣ値を計算し、アスキーコードの形式で、トレーラ部６２の末尾に付加する。トレーラ部６２は、省略することができないが、ＣＲＣ部は、省略することが可能である。
【００４０】
このようなフォーマットによる付加情報の具体的な例を、図４および図５に示す。図４の例では、付加情報として、撮影日付（Ｄａｔｅ＝２００３／１１／２１）、撮影時刻（Ｔｉｍｅ＝１３：４５：２８）、撮影場所の照度（Ｉｌｌｕｍｉｎａｔｉｏｎ＝３５６．４）および撮影場所の色温度（ＣｏｌｏｒＴｅｍｐ＝４７２０）が送信される。
【００４１】
また、この図４の例では、付加情報の末尾に、ＣＲＣ（ＣＲＣ１６）によって計算したこの付加情報列のＣＲＣ値がアスキー文字列で付加されている。すなわち、終了を示す文字列「ＥＴＸ」の次に記述される文字列「２０Ａ４」は、１６進表記ではそれぞれ「０ｘ３４」、「０ｘ３０」、「０ｘ４１」および「０ｘ３４」であって、これがこの付加情報の開始文字列「ＳＴＸ」から終了文字列「ＥＴＸ」までのＣＲＣ値となっている。
【００４２】
図５は、付加情報として、撮影日付（Ｄａｔｅ＝２００３／１１／２０）、撮影時刻（Ｔｉｍｅ＝１５：０２：３３．０１８）、撮影場所の照度（Ｉｌｌｕｍｉｎａｔｉｏｎ＝３５６．４）および撮影場所の色温度（ＣｏｌｏｒＴｅｍｐ＝４７２０）が送信され、撮影時刻に対してフレーム情報が含まれている例である。この図５の例では、撮影時刻における小数点以下の表記「．０１８」によってフレーム情報を示している。このように、時刻情報に対してフレーム情報を付加することで、当該パラメータをフレーム単位で制御することが可能となる。この例では、この付加情報が映像の１８フレーム目に対応していることを示しており、照明の制御を、フレームと同期させて行うことができる。なお、この図５の例では、ＣＲＣ値が省略されている。
【００４３】
なお、上述では、付加情報のフォーマットにおいて、デリミタとして復改コードを用いたが、これはこの例に限られず、キャリッジリターンやラインフィードを単独で用いてデリミタとしてもよいし、さらに、スペースやタブ記号、カンマ、セミコロンなど、他のコードを用いることもできる。
【００４４】
デリミタとして復改コードを用いた場合には、各パラメータレコードが行毎に扱われ、パラメータ単位での処理が容易になるという利点がある。例えば、配信側で付加情報に記述した全てのパラメータに受信側が対応していない場合、受信側では、対応していないパラメータについて、そのパラメータが記述されている行をスキップするだけでよく、処理が容易であり、自由度が高く拡張性に富んでいる。またそのため、受信側で付加情報の加工が容易であり、様々な種類の情報機器が接続されるインターネット上での使用に適している。
【００４５】
次に、この発明の実施の第２の形態について説明する。この実施の第２の形態では、カメラで撮影したビデオデータをインバンド伝送でストリーム配信すると共に、撮影環境下の照度および色温度情報を付加情報としてアウトバンド伝送する。このとき、付加情報に対して、当該付加情報に対応するストリームを特定するための情報を記述し、複数のコンテンツがストリーム配信されるような場合でも、付加情報とコンテンツとの対応を可能としている。
【００４６】
図６は、この発明の実施の第２の形態による配信システムの一例の構成を示す。図６において、インバンド伝送側１は、ビデオデータをストリーミング配信する際の一般的な構成が適用できる。また、アウトバンド伝送側２は、この発明の実施の第２の形態が適用され、インバンド伝送側１で配信されるストリームに対応する付加情報が伝送される。
【００４７】
配信側について説明する。インバンド伝送側１において、カメラ１００で撮影されたビデオ信号は、Ａ／Ｄコンバータ１０１でディジタル変換されディジタルビデオデータとされてマルチプレクサ／エンコーダ（ＭＬＰ／ＥＮＣ）１０２に供給される。カメラ１００の撮影に伴いマイクロフォン１０３で集音されたオーディオ信号は、Ａ／Ｄコンバータ１０４でディジタル変換され、ディジタルオーディオデータとされてマルチプレクサ／エンコーダ１０２に供給される。マルチプレクサ／エンコーダ１０２は、供給されたビデオデータおよびオーディオデータをそれぞれ符号化し、符号化されたビデオデータおよびオーディオデータを多重化してＡＶ(Audio/Video)ストリームとして出力する。
【００４８】
ＡＶストリームは、カプセル化部１０５に供給される。カプセル化部１０５では、供給されたストリームが所定単位に分割され、分割されたそれぞれがペイロードに格納されＩＰヘッダが付されてＩＰパケット化される。ＩＰパケットは、宛先ポート番号として所定のポート番号（ポート番号「６０００」とする）を指定され、ＩＰネットワーク１２０に向けてＩＰマルチキャスト送信により配信される。プロトコルには、例えばＵＤＰ(User Datagram Protocol)／ＩＰを用いることができる。
【００４９】
上述したカメラ１００による撮影に対応して、クロマメータ１１０により、撮影現場の照度および色温度が計測される。計測データは、クロマデータ受信部１１１に受信され、送信データ作成部１１２で送信可能な形式に加工される。加工された計測データは、ＩＰパケット送信部１１３に供給される。計測データは、ＩＰパケット送信部１１３で、ペイロードに格納されると共にＩＰヘッドを付加されＩＰパケット化される。このＩＰパケットは、上述のインバンド伝送側１と異なるポート番号（ポート番号「６００１」とする）を宛先ポート番号として指定され、ＩＰネットワーク１２０に対してマルチキャスト送信される。
【００５０】
受信側について説明する。ＩＰネットワーク１２０を介して受信されたＩＰパケットは、図示されない受信部に受信され、宛先ポート番号に基づき対応するアプリケーションに引き渡される。この例では、逆カプセル化部１３０がポート番号「６０００」に対応し、ＩＰパケット受信部１４０がポート番号「６００１」に対応する。配信側でＡＶストリームがカプセル化されたＩＰパケットは、宛先ポート番号がポート番号「６０００」に指定されているので、逆カプセル化部１３０に引き渡される。また、計測データのＩＰパケットは、宛先ポート番号がポート番号「６００１」に指定されているので、ＩＰパケット受信部１４０に引き渡される。
【００５１】
逆カプセル化部１３０では、渡されたＩＰパケットからＩＰヘッダが取り除かれ、ペイロードから取り出されたデータに基づき元のストリームが復元される。復元されたストリームは、デマルチプレクサ／デコーダ（ＤＥＭＬＰ／ＤＥＣ）１３１に供給され、多重化されたビデオデータおよびオーディオデータが分離され、分離されたビデオデータおよびオーディオデータがそれぞれ復号化される。デマルチプレクサ／デコーダ１３１から出力されたビデオデータは、Ｄ／Ａコンバータ１３２でアナログビデオ信号に変換され、モニタ１３３に供給され、映像が再生される。デマルチプレクサ／デコーダ１３１から出力されたオーディオデータは、Ｄ／Ａコンバータ１３４でアナログオーディオ信号に変換され、アンプ／スピーカ部１５３に供給されて、音声が再生される。
【００５２】
一方、ＩＰパケット受信部１４０では、渡されたＩＰパケットからＩＰヘッダが取り除かれ、ペイロードから取り出されたデータに基づき計測データが復元される。復元された計測データは、クロマデータ再作成部１４１により照度データおよび色温度データに変換され、照明ユニット制御部１４２に供給される。照明ユニット制御部１４２は、供給された照度データおよび色温度データに基づき、照明ユニット１４３を制御する。照明ユニット１４３は、例えばＲ（赤色）、Ｇ（緑色）およびＢ（青色）の三原色の光源を有し、Ｒ、ＧおよびＢの各色の光源をそれぞれ独立して制御可能とされる。
【００５３】
ここで、照明ユニット制御部１４２に対して、照明ユニット１４３により照射される領域の照度および色温度を計測可能なクロマメータ１４４が接続されている場合、照明ユニット１４３のフィードバック制御が可能である。すなわち、クロマメータ１４４による照度および色温度の計測結果に基づき、照明ユニット１４３による照射領域の照度および色温度が、クロマデータ再作成部１４１から供給された照度データおよび色温度データと等しくなるように、照明ユニット制御部１４２により照明ユニット１４３をフィードバック制御する。これにより、上述したカメラ１００による撮影現場の照度および色温度を、より忠実に再現することが可能となる。
【００５４】
付加情報については、実施の第１の形態において図４を用いて説明したフォーマットを用いることができる。図７は、この実施の第２の形態に適用可能な付加情報の一例のフォーマットを示す。付加情報の開始を示す文字列「ＳＴＸ」および復改コードからなるヘッダ部６０に続けて、データ部６１に撮影日付（Ｄａｔｅ＝２００３／１１／２６）、撮影時刻（Ｔｉｍｅ＝１６：３５：２８）、撮影場所の照度（Ｉｌｌｕｍｉｎａｔｉｏｎ＝３５６．４）および撮影場所の色温度（ＣｏｌｏｒＴｅｍｐ＝４７２０）が、各々復改コードで区切られて格納される。なお、この図７の例では、照度の単位は、例えばルクス（Ｌｕｘ）、色温度の単位はケルビン（Ｋ）を用いている。データ部６１に続けて、トレーラ部６２に、付加情報の終了を示す文字列「ＥＴＸ」および復改コードが記述され、ＣＲＣ値（この例では「５９９８」）が記述される。
【００５５】
この図６の例では、ＡＶストリームは、配信側では撮影に対して略リアルタイムで配信され、受信側では受信されたＡＶストリームを略リアルタイムに再生することが想定されている。付加情報は、例えば３０秒毎といったように、所定の間隔で繰り返して送信される。撮影現場の環境（照度および色温度）が変化した場合には、送信される付加情報にその旨が反映される。これに限らず、ビデオデータのシーンチェンジに応じて付加情報を送信することも考えられる。
【００５６】
このように、ＡＶストリームが略リアルタイムで配信され再生されるような場合、付加情報における撮影日付および撮影時刻は、大きな意味を持たない。しかしながら、配信されたＡＶストリームを、受信側で一旦記録媒体に蓄積し、記録媒体に蓄積されたＡＶストリームを後に再生するような場合や、ＡＶストリームおよび付加情報の伝送にタイムラグがある場合、付加情報が記録媒体に記録されて提供されるような場合に、付加情報に記述された撮影日付および撮影時刻を用いて、ＡＶストリームの再生に対して照度および色温度の変化を同期させることができる。
【００５７】
なお、付加情報に、対応するＡＶストリームに対する関連付け情報を記述しておくと、受信側における、付加情報に基づく処理がより容易になり、好ましい。図８は、図７で示した付加情報に対して、配信されるＡＶストリームに対する関連付け情報を追加した例を示す。リアルタイムで配信され再生されるＡＶストリームの場合、関連付け情報としては、対応するＡＶストリームがどのようにして送信されたかが記述されていればよい。
【００５８】
図８の例では、パラメータ「ＭａｉｎＳｔｒｅａｍＴｙｐｅ」と、パラメータ「ＭａｉｎＳｔｒｅａｍＩＤ」とを用いて、対応するＡＶストリームを特定している。パラメータ「ＭａｉｎＳｔｒｅａｍＴｙｐｅ」は、対応するＡＶストリーどのような形式で送信されるかを示す。図８の例では、ＩＰマルチキャスト送信されていることを示す値「ＩＰ  Ｍｕｌｔｉｃａｓｔ」が記述されている。パラメータ「ＭａｉｎＳｔｒｅａｍＩＤ」は、対応するＡＶストリームを一意に特定するための基本情報を示す。図８の例では、当該ＡＶストリームがＩＰマルチキャスト送信されるため、ＩＰマルチキャストアドレス（２２６．０．０．１）と、ポート番号「６０００」とを用いて、当該ＡＶストリームを特定している。
【００５９】
他の例として、例えば当該ＡＶストリームがテレビジョン放送によるものであれば、パラメータ「ＭａｉｎＳｔｒｅａｍＴｙｐｅ」に対して値「ＴＶ  Ｏｎａｉｒ」とし、パラメータ「ＭａｉｎＳｔｒｅａｍＩＤ」に対して放送チャンネルを記述することが考えられる。
【００６０】
さらに、ＡＶストリームの配信の際に、１つのパケットストリーム中に複数のコンテンツが多重化されて配信されることが考えられる。例えば、ＢＳ(Broadcasting Satellite)ディジタル放送や、地上ディジタル放送では、複数チャンネルの信号が１本のトランスポートストリーム（ＴＳ）に多重化されて放送される。これら多重化された複数のＡＶストリームは、同じＴＳに多重化されるＰＳＩ(Program Specific Information)や、ＳＩ(Service Information：番組配列情報)といったテーブルを用いて分離および選択される。
【００６１】
トランスポートストリーム（ＴＳ）は、幾つかのＡＶストリームなどを、１８８バイトの固定長パケットであるトランスポートストリームパケット（ＴＳパケット）を伝送単位として、時分割多重したものである。ＴＳパケットは、ヘッダ部とペイロード部とからなり、ヘッダ部に格納されるＰＩＤ(Packed ID)により、各々のＴＳパケットが識別される。ＡＶストリームは、分割されてＴＳパケットのペイロードに埋め込まれる。受信の際には、ＰＩＤに基づきＴＳパケットを分別し、元のＡＶストリームを復元する。
【００６２】
ＴＳに対して、さらに、ＰＳＩおよびＳＩが格納される。ＰＳＩは、ＴＳに多重化された複数のＡＶストリームを分離する際に必要となる情報である。ＰＳＩは、ＴＳに複数のＡＶストリームが多重化されているときに、どのストリームを選択し、どのＴＳパケットを取り出し、どのように復号化するのかといった情報が格納される。また、ＳＩは、番組やサービスの情報が記述され、放送データストリームの分配システム、ストリームの内容、スケジュールやタイミングなどの情報が記述される。
【００６３】
これらの、ＰＩＤ、ＰＳＩおよびＳＩに基づくパラメータを、付加情報のフォーマットに対して上述の図８に例示されるようにして組み込むことで、１本のＴＳストリーム中に複数のＡＶストリームが多重化されて伝送されるような場合でも、受信されたＴＳストリームから付加情報に対応するＡＶストリームを特定することができる。例えば、上述した図７の付加情報のフォーマットに対して、適当なパラメータ名のパラメータレコードを新たに定義して、データ部６１の先頭側に組み込む。パラメータは、例えば、優先的に判断すべき項目から順に並べるとよい。
【００６４】
付加情報がアウトバンド伝送により送信されるため、ＢＳディジタル放送や地上ディジタル放送の規格を変更することなく、これらの放送による番組に対する付加情報を送信することができる。この実施の第２の形態においては、放送番組の撮影現場における照度情報や色温度情報を、既存の放送システムに変更を加えることなく配信することができ、受信側では、配信された照度情報や色温度情報に基づき、視聴中の番組の撮影現場における照度や色温度を再現することができる。
【００６５】
なお、上述では、カメラ１００による撮影現場での照度および色温度を実際に計測して、付加情報として送信しているが、これはこの例に限定されない。例えば、映像制作者の意図に基づきプログラミングされた照度および色温度を、付加情報として送信するようにしてもよい。
【００６６】
次に、この発明の実施の第２の形態で用いられる、目的の照度および色温度を得るための照明システムについて説明する。この照明システムは、図６の例では、照明ユニット制御部１４２、照明ユニット１４３およびクロマメータ１４４により構成される。
【００６７】
先ず、色温度について、概略的に説明する。色温度とは、物体や天体の可視域での放射の色から推定される温度のことであり、完全黒体を想定したとき、対象となる光放射の色度と同一の色度の放射光を放つ完全黒体の温度を、色温度という。完全黒体からの放射光は、完全黒体の温度が高くなるにつれて、色度が赤から白、さらに青の方向に変化する。そのため、全体的に赤みが強い画面を「色温度が低い」と表現し、全体的に青みが強い画面を「色温度が高い」と表現することが可能となる。
【００６８】
色温度を厳密に測定する場合、対象となる光源のスペクトル分布を調べて、そこから計算する方法を用いる。一方、写真の色温度を測定する場合などのように厳密さが要求されない場合には、対象となる光の青紫色光、赤色光に対する相対的な強さをそれぞれ求め、その結果に基づき色温度を算出するような色温度計（カラーメーター）が用いられる。したがって、対象となる光源の三原色（赤色光、緑色光および青色光、すなわちＲＧＢ）のそれぞれの強さを測定し、それらの比率を調べることで、色温度を算出することが可能となる。
【００６９】
図９は、色温度と三原色の一例の関係を示す。この図９は、色温度４０００Ｋを基準として各色の強さを正規化し、緑色光Ｇに対する赤色光Ｒおよび青色光Ｂの比率を示した図である。この図９から、赤色光Ｒの光量を減らして青色光Ｂの光量を増やせば色温度が高くなり、赤色光Ｒの光量を増やして青色光Ｂの光量を減らせば色温度が低くなることが分かる。したがって、照明ユニット１４３は、三原色の発光体をそれぞれ備え、指定された照度および色温度に従って、三原色分の発光体の発光状況をそれぞれ変化させればよい。
【００７０】
発光体としては、例えばＬＥＤ(Light Emitting Diode)を用いることができる。例えば、図９に基づき４０００Ｋの白色光が得られる三原色分の発光体の数を予め求めておく。このとき、発光体の性質や性能により、赤色光、緑色光および青色光それぞれの発光体の数が必ずしも一致するとは限らない。また、図９の例では、色温度が３０００Ｋから１００００Ｋまでの間で色温度を可変的に得られるようにするためには、例えば、赤色光の発光体を、緑色光の発光体に対して略１．６５倍の光量が得られるように用意し、青色光の発光体を、緑色光の発光体に対して略１．５２倍の光量が得られるように用意すればよい。
【００７１】
なお、照度については、赤色光、緑色光および青色光の発光の強さの比を変えずに、それぞれの強度を変化させることで、所望の値を得ることができる。
【００７２】
なお、視聴環境によっては、照明ユニット１４３以外の光（外光など）が入り込むことが考えられる。この場合、入り込んだ光の影響で、受信した付加情報に基づき制御される照度および色温度とは異なる照明環境になってしまう可能性がある。これは、照明ユニット１４３以外の光により、視聴環境における赤色光、緑色光および青色光の比率や強さの分布が変化してしまうからである。
【００７３】
クロマメータ１４４を視聴環境に設け、クロマメータ１４４による視聴環境の照度および色温度の測定結果に基づき、照明ユニット制御部１４２により照明ユニット１４３のフィードバック制御を行うことで、照明ユニット１４３以外の光による影響を防ぐことが可能である。すなわち、クロマメータ１４４により測定された色温度が付加情報により与えられた色温度よりも高ければ、赤色光を強め、青色光を弱めるようにする。同様に、クロマメータ１４４により測定された色温度が付加情報により与えられた色温度よりも低ければ、赤色光を弱め、青色光を強めるようにする。
【００７４】
図１０は、クロマメータ１４４によるフィードバック制御を行う場合の、照明ユニット制御部１４２による一例の調光処理のフローチャートを示す。先ず、配信側から送信された付加情報が受信され、受信された付加情報に記述されている照度および色温度のパラメータが読み取られる。そして、ステップＳ１０で、付加情報により与えられた照度および色温度に基づき、Ｒ値、Ｇ値およびＢ値がそれぞれ算出される。算出されたＲ値、Ｇ値およびＢ値に基づき、照明ユニット制御部１４２により照明ユニット１４３が制御され、三原色光による照明がなされる。
【００７５】
次のステップＳ１１では、クロマメータ１４４により、視聴環境における照度および色温度が測定される。ステップＳ１２で、測定結果のうち色温度の値が付加情報で与えられた色温度の値と比較される。若し、測定結果と付加情報で与えられた値とが一致しないと判断された場合には、処理はステップＳ１４に移行し、測定された実際の色温度が与えられた色温度よりも高いか否かが判断される。測定された実際の色温度の方が高いと判断されれば、処理はステップＳ１５に移行し、赤色光を強くし、青色光を弱くするように調光される。ステップＳ１４で、測定された色温度が与えられた色温度よりも低いと判断されれば、処理はステップＳ１６に移行し、青色光を強くし、赤色光を弱くするように調光される。ステップＳ１５またはステップＳ１６の調光が終了すると、処理はステップＳ１１に戻される。
【００７６】
一方、ステップＳ１２で、測定結果と付加情報で与えられた値とが一致すると判断されれば、処理はステップＳ１３に移行する。ステップＳ１３では、ステップＳ１１での測定結果のうち照度の値が付加情報で与えられた照度の値と比較される。若し、測定結果と付加情報で与えられた値とが一致しないと判断された場合には、処理はステップＳ１７に移行し、測定された照度が与えられた照度よりも高いか否かが判断される。測定された照度の方が高いと判断されれば、処理はステップＳ１８に移行し、三原色光の強度の比率を保ったまま、三原色それぞれの光を弱くするように調光される。ステップＳ１７で、測定された照度が与えられた照度よりも低いと判断されれば、処理はステップＳ１９に移行し、三原色光の強度の比率を保ったまま、三原色それぞれの光を強くするように調光される。ステップＳ１８またはステップＳ１９の調光が終了すると、処理はステップＳ１１に戻される。
【００７７】
なお、ステップＳ１３で、測定結果と付加情報で与えられた値とが一致すると判断された場合には、一連の処理が終了され、次に付加情報により照度および色温度のパラメータが与えられるまで待機される。
【００７８】
なお、上述では、付加情報として照度および色温度を与えるように説明しているが、これはこの例に限定されず、配信側で、照度および色温度に基づきＲＧＢ値を予め計算しておき、このＲＧＢ値を付加情報として送信するようにしてもよい。図１１は、付加情報に対してＲＧＢ値を記述した例を示す。この図１１の例では、ＲＧＢ値それぞれが、値「２５５」を最大値とする絶対的な値として記述されている。予め計算されたＲＧＢ値を付加情報として送信することにより、受信側における処理を軽減することができ、受信側のシステムを簡略化することが可能である。一方、ＲＧＢ値それぞれが絶対的な値として記述されるので、照明ユニット１４３のキャリブレーションを適切に行う必要がある。
【００７９】
また、上述した実施の第１および第２の形態では、主たるコンテンツのＡＶストリームと、当該ＡＶストリームに付加される付加情報とが同一の通信手段（インターネット）により送信されるとして説明したが、これはこの例に限定されず、ＡＶストリームと付加情報とは、異なる経路で送信されるようにできる。例えば、ＡＶストリームをインターネットで送信し、付加情報を公衆電話回線などで送信することが考えられる。同様に、ＡＶストリームをテレビジョン放送の放送電波で送信し、付加情報をインターネットや電話回線で送信することが考えられる。
【図面の簡単な説明】
【００８０】
【図１】この発明を適用可能な技術範囲を模式的に示す略線図である。
【図２】この発明の実施の第１の形態を適用可能な一例のシステム構成を示すブロック図である。
【図３】付加情報の一例のデータ構造を概略的に示す略線図である。
【図４】付加情報の具体的な例を示す略線図である。
【図５】付加情報の具体的な例を示す略線図である。
【図６】この発明の実施の第２の形態による配信システムの一例の構成を示すブロック図である。
【図７】この実施の第２の形態に適用可能な付加情報の一例のフォーマットを示す略線図である。
【図８】付加情報に対して配信されるＡＶストリームに対する関連付け情報を追加した例を示す略線図である。
【図９】色温度と三原色の一例の関係を示す略線図である。
【図１０】調光処理の一例のフローチャートである。
【図１１】付加情報に対してＲＧＢ値を記述した例を示す略線図である。
【符号の説明】
【００８１】
１  インバンド伝送側
２  アウトバンド伝送側
１２  ＨＤカメラ
１５  カプセル化部
１６  クロマメータ
２２  ＩＰマルチキャストサーバ
３０  ＩＰネットワーク
４０  逆カプセル化部
５０  ＩＰマルチキャストクライアント
５１  クロマデータ再生部
６０  ヘッダ部
６１  データ部
６２  トレーラ部
１００  カメラ
１０２  マルチプレクサ／エンコーダ
１０５  カプセル化部
１１０  クロマメータ
１１３  ＩＰパケット送信部
１２０  ＩＰネットワーク
１３０  逆カプセル化部
１３１  デマルチプレクサ／デコーダ
１４０  ＩＰパケット受信部
１４１  クロマデータ再作成部
１４２  照明ユニット制御部
１４３  照明ユニット
１４４  クロマメータ
【図１】
2005223570.tif 000003
【図２】
2005223570.tif 000004
【図３】
2005223570.tif 000005
【図４】
2005223570.tif 000006
【図５】
2005223570.tif 000007
【図６】
2005223570.tif 000008
【図７】
2005223570.tif 000009
【図８】
2005223570.tif 000010
【図９】
2005223570.tif 000011
【図１０】
2005223570.tif 000012
【図１１】
2005223570.tif 000013